Podtech/llm-jp-corpus-v4-ja_patent huggingface dataset:
【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
少なくとも下地層と、反強磁性層と、該反強磁性層に接していて一定方向に磁化方向が揃えられた固定磁性層と、自由磁性層と、該固定磁性層と該自由磁性層を磁気的に分離する非磁性導電層と、非磁性保護層とから構成される磁気抵抗効果積層体と、該磁気抵抗効果積層体の下に形成された下部磁気シールド層及び絶縁ギャップ層と、該磁気抵抗効果積層体の上に形成された上部絶縁ギャップ層及び磁気シールド層と、前記自由磁性層の磁化方向を前記固定磁性層の磁化方向と直交する方向に揃えるための磁区制御層とを有する磁気抵抗効果ヘッドであって、前記自由磁性層の膜厚方向の中線と前記磁気抵抗効果積層体の端部傾斜面との交点における、該端部傾斜面の接線と該中線との成す角度が６０°以上であり、且つ該磁気抵抗効果積層体に接する下部の層への掘り込み量が、該下部の層の平坦部において０ナノメートルから２ナノメートルの範囲であることを特徴とする磁気抵抗効果ヘッド。
【請求項２】
前記磁気抵抗効果積層体に検出電流を供給し磁気抵抗変化を検出するための導電層が、前記磁気抵抗効果積層体の上部及び下部に接して配置されていることを特徴とする請求項１記載の磁気抵抗効果ヘッド。
【請求項３】
少なくとも下地層と、反強磁性層と、該反強磁性層に接していて一定方向に磁
化方向が揃えられた固定磁性層と、自由磁性層と、該固定磁性層と該自由磁性層を磁気的に分離する非磁性導電層と、第２の反強磁性層と、該第２の反強磁性層に接していて一定方向に磁化方向が揃えられた第２の固定磁性層と、第２の自由磁性層と、該第２の固定磁性層と該第２の自由磁性層を磁気的に分離する第２の非磁性導電層と、非磁性保護層とから構成されるデュアルスピンバルブ型磁気抵抗効果積層体と、前記自由磁性層及び第２の自由磁性層の磁化方向を前記固定磁性層及び第２の固定磁性層の磁化方向と直交する方向に揃えるための磁区制御層とを有するデュアルスピンバルブ型磁気抵抗効果ヘッドであって、前記自由磁性層及び第２の自由磁性層の膜厚方向の中線と前記デュアルスピンバルブ型磁気抵抗効果積層体の端部傾斜面との交点における、該端部傾斜面の接線と該中線との成す角度が６０°以上であり、且つ該デュアルスピンバルブ型磁気抵抗効果積層体に接する下部の層への掘り込み量が、該下部の層の平坦部において０ナノメートルから２ナノメートルの範囲であることを特徴とするデュアルスピンバルブ型磁気抵抗効果ヘッド。
【請求項４】
前記デュアルスピンバルブ型磁気抵抗効果積層体に検出電流を供給し磁気抵抗変化を検出するための導電層が、前記デュアルスピンバルブ型磁気抵抗効果積層体の上部及び下部に接して配置されていることを特徴とする請求項３記載のデュアルスピンバルブ型磁気抵抗効果ヘッド。
【手続補正書】
【提出日】平成16年8月31日(2004.8.31)
【手続補正１】
【補正対象書類名】明細書
【補正対象項目名】特許請求の範囲
【補正方法】変更
【補正の内容】
【特許請求の範囲】
【請求項１】
主情報が同心円又はスパイラル状のトラックに沿って光記録され、補助情報が前記同心円又はスパイラル状のトラックの最内周付近の複数のトラックの複数のセクタに分割された光記録部分に重ねて半径方向にバーコードとして記録され、前記バーコードが光記録媒体の回転中心から見て３６０度にわたる環状部分内に配列され、かつ前記環状部分内の前記複数のセクタのうち、少なくとも１つのセクタを除いた部分に配列されている光記録媒体に光ピックアップにより光ビームを照射して、その反射光又は透過光を検出する検出手段と、
前記光ピックアップを前記光記録媒体に対して位置決めするサーボ手段と、
検出した信号を再生する信号処理手段とを有する光記録媒体再生装置であって、
前記セクタのアドレスを読み出す手段と、
前記バーコードの有無を前記光記録媒体上の情報から判定するバーコード有無判定手段と、
前記バーコードがある場合には前記セクタのアドレスに基づいて、複数のトラックに跨った前記バーコード領域の半径方向の中央付近に移動する移動手段と、
前記バーコードを読み出す読出し手段と、
前記バーコードに記載されている前記補助情報に応じて、前記主情報の再生を実行する手段とを有する光記録媒体再生装置。
【請求項２】
主情報が同心円又はスパイラル状のトラックに沿って光記録され、補助情報が前記同心円又はスパイラル状のトラックの最内周付近の複数のトラックの複数のセクタに分割された光記録部分に重ねて半径方向にバーコードとして記録され、前記バーコードが光記録媒体の回転中心から見て３６０度にわたる環状部分内に配列され、かつ前記環状部分内の前記複数のセクタのうち、少なくとも１つのセクタを除いた部分に配列されている光記録媒体に光ピックアップにより光ビームを照射して、その反射光又は透過光を検出するステップと、
前記光ピックアップを前記光記録媒体に対して位置決めするステップと、
検出した信号を再生するステップと、
前記セクタのアドレスを読み出すステップと、
前記バーコードの有無を前記光記録媒体上の情報から判定するステップと、
前記バーコードがある場合には前記セクタのアドレスに基づいて、複数のトラックに跨った前記バーコード領域の半径方向の中央付近に移動するステップと、
前記バーコードを読み出すステップと、
前記バーコードに記載されている前記補助情報に応じて、前記主情報の再生を実行するステップとを有する光記録媒体再生方法。
【手続補正２】
【補正対象書類名】明細書
【補正対象項目名】発明の名称
【補正方法】変更
【補正の内容】
【発明の名称】光記録媒体再生装置、光記録媒体再生方法
【手続補正３】
【補正対象書類名】明細書
【補正対象項目名】０００１
【補正方法】変更
【補正の内容】
【０００１】
【発明の属する技術分野】
本発明は、特に主情報の他に補助情報がバーコードとして記録されている光記録媒体を再生する光記録媒体再生装置、光記録媒体再生方法に関する。
【手続補正４】
【補正対象書類名】明細書
【補正対象項目名】０００５
【補正方法】変更
【補正の内容】
【０００５】
したがって、本発明は光情報として記録された主情報の他に、媒体の内周部分に補助情報を記録するために設けたバーコードによる記録部分として知られている、いわゆるＢＣＡ（バーストカッティングエリア）を用いて著作権の保護や、記録情報の選択的再生許可などの付加的機能を有する光記録媒体を再生する光記録媒体再生装置、光記録媒体再生方法を提供することを目的とする。
【手続補正５】
【補正対象書類名】明細書
【補正対象項目名】０００６
【補正方法】変更
【補正の内容】
【０００６】
【課題を解決するための手段】
上記目的を達成するため、本発明は下記の（１），（２）の構成を有する光記録媒体再生装置、光記録媒体再生方法を提供する。
（１）  主情報が同心円又はスパイラル状のトラックに沿って光記録され、補助情報が前記同心円又はスパイラル状のトラックの最内周付近の複数のトラックの複数のセクタに分割された光記録部分に重ねて半径方向にバーコードとして記録され、前記バーコードが光記録媒体の回転中心から見て３６０度にわたる環状部分内に配列され、かつ前記環状部分内の前記複数のセクタのうち、少なくとも１つのセクタを除いた部分に配列されている光記録媒体に光ピックアップにより光ビームを照射して、その反射光又は透過光を検出する検出手段と、
前記光ピックアップを前記光記録媒体に対して位置決めするサーボ手段と、
検出した信号を再生する信号処理手段とを有する光記録媒体再生装置であって、
前記セクタのアドレスを読み出す手段と、
前記バーコードの有無を前記光記録媒体上の情報から判定するバーコード有無判定手段と、
前記バーコードがある場合には前記セクタのアドレスに基づいて、複数のトラックに跨った前記バーコード領域の半径方向の中央付近に移動する移動手段と、
前記バーコードを読み出す読出し手段と、
前記バーコードに記載されている前記補助情報に応じて、前記主情報の再生を実行する手段とを有する光記録媒体再生装置。
（２）  主情報が同心円又はスパイラル状のトラックに沿って光記録され、補助情報が前記同心円又はスパイラル状のトラックの最内周付近の複数のトラックの複数のセクタに分割された光記録部分に重ねて半径方向にバーコードとして記録され、前記バーコードが光記録媒体の回転中心から見て３６０度にわたる環状部分内に配列され、かつ前記環状部分内の前記複数のセクタのうち、少なくとも１つのセクタを除いた部分に配列されている光記録媒体に光ピックアップにより光ビームを照射して、その反射光又は透過光を検出するステップと、
前記光ピックアップを前記光記録媒体に対して位置決めするステップと、
検出した信号を再生するステップと、
前記セクタのアドレスを読み出すステップと、
前記バーコードの有無を前記光記録媒体上の情報から判定するステップと、
前記バーコードがある場合には前記セクタのアドレスに基づいて、複数のトラックに跨った前記バーコード領域の半径方向の中央付近に移動するステップと、
前記バーコードを読み出すステップと、
前記バーコードに記載されている前記補助情報に応じて、前記主情報の再生を実行するステップとを有する光記録媒体再生方法。
【手続補正６】
【補正対象書類名】明細書
【補正対象項目名】００４３
【補正方法】変更
【補正の内容】
【００４３】
【発明の効果】
以上説明したように本発明によれば、主情報の他に、その内周部分に補助情報を記録するために設けたバーコードによる記録部分として知られている、いわゆるＢＣＡ（バーストカッティングエリア）を用いて著作権の保護や、記録情報の選択的再生許可などの付加的機能を有する光記録媒体を再生する光記録媒体再生装置、光記録媒体再生方法を提供することができる。
【手続補正書】
【提出日】平成16年12月22日(2004.12.22)
【手続補正１】
【補正対象書類名】明細書
【補正対象項目名】００１２
【補正方法】変更
【補正の内容】
【００１２】
ＣＤ(Compact Disc）やＤＶＤ(Digital Versatile Disk)等の一般の光ディスクでは、トラック上に記録するデータの変調方式としてＥＦＭ(Eight to Fourteen Modulation)やＥＦＭ Plusが用いられ、“０”の長さが最低２個以上連続し、１１個以上は連続しないという［２，１０］ＲＬＬ(Run-length Limited）符号条件を満たすように３Ｔ〜１１Ｔ（Ｔは１ビット分の長さ）の範囲内にピットの長さが制限されている。したがって、たとえばＣＤにおいて、１倍速で再生した場合のチャネル・クロックの周波数は４．３２ＭＨｚであるが、ＲＦ信号の周波数は３Ｔ／３Ｔの場面が最大で７２０ｋＨｚであり、１１Ｔ／１１Ｔの場面では１９６ｋＨｚ程度まで低くなる。トラッキングサーボを正確に行うには、トラッキングエラー信号においてこのようなＲＦ信号成分が無視できるほど小さいのが望ましい。
【手続補正書】
【提出日】平成16年9月17日(2004.9.17)
【手続補正１】
【補正対象書類名】明細書
【補正対象項目名】００２５
【補正方法】変更
【補正の内容】
【００２５】
この実施の形態の印字印画記録可能なＩＣカード１は、図２及び図３に示すように、第１及び第２のシート材１０１，１０２の間に介在される接着剤層１０３内に、ＩＣチップ１０４及びアンテナ１０５を有するＩＣユニット１０６を設けた構成からなり、第１のシート材１０１には受像層１０７が設けられ、第２のシート材１０２には筆記層１０８が設けられている。このＩＣカード１は、受像層１０７に印字印画記録可能であり、１枚ずつカード供給部１０から所定のタイミングで自動供給される。
【手続補正２】
【補正対象書類名】明細書
【補正対象項目名】００２６
【補正方法】変更
【補正の内容】
【００２６】
情報記録部２０には、イエローリボンカートリッジ２１、マゼンタリボンカートリッジ２２、シアンリボンカートリッジ２３、ブラックリボンカートリッジ２４が配置され、それぞれに対応して記録ヘッド２５〜２８が配置されている。イエローリボン、マゼンタリボン、シアンリボン等の熱転写シート２９による熱転写で、ＩＣカード１が移動されている間に、その受像層１０７の所定領域にカード使用者の顔写真等の階調を有する画像領域５３が記録される。また、文字リボンカートリッジ３１及び記録ヘッド３２が配置され、文字リボン等の熱転写シート３３による熱転写で、その氏名やカード発行日等の認証識別情報５４が記録される。この熱転写シート２９，３３が記録材料３を構成する。
【手続補正３】
【補正対象書類名】明細書
【補正対象項目名】００３４
【補正方法】変更
【補正の内容】
【００３４】
カード供給部１０の後段には、非接触リーダライタＲＷ１が設けられ、情報記録部２０の後段には、非接触リーダライタＲＷ２が設けられ、この非接触リーダライタＲＷ１，ＲＷ２によりＩＣカード１のＩＣチップ１０４に記録された情報を読み取り、あるいはＩＣチップ１０４に情報を書き込む。また、上位機器９０から送られてくる固有の情報を、記録制御装置７０を介してこの非接触式リーダライタＲＷ１、もしくは、ＲＷ２により、ＩＣカード１のＩＣチップ１０４に記録する。または、あらかじめ、ＩＣチップ１０４に記録されていた情報を読み取る。
【手続補正４】
【補正対象書類名】明細書
【補正対象項目名】００５３
【補正方法】変更
【補正の内容】
【００５３】
また、この発明においては、記録特性情報として、適合記録方式、適合材料種、適正記録条件、材料種等を挙げることができる。これらの情報はコード化して記憶させておくことが好ましい。ここで、材料種は、例えばタグが付けられているものがカードなら、そのカードの種類をいい、適合材料種は、カードなら、それに適応可能なリボンの種類等をいう。
【手続補正５】
【補正対象書類名】明細書
【補正対象項目名】００５８
【補正方法】変更
【補正の内容】
【００５８】
表面保護材料の保持部材である転写箔カートリッジ４１に、非接触ＩＣタグＴ２１が設けられ、転写箔カートリッジ６１に、非接触ＩＣタグＴ２２が設けられている。このように、表面保護材料の保持部材の一部には、表面保護材料の適正処理条件が記録されている非接触ＩＣタグＴ２１，Ｔ２２が内蔵されており、リーダＲ２１，Ｒ２２により非接触ＩＣタグＴ２１，Ｔ２２の情報を読み取る。
【手続補正６】
【補正対象書類名】明細書
【補正対象項目名】００６０
【補正方法】変更
【補正の内容】
【００６０】
また、この発明において、適正な条件としての保護特特性条件は、保護方法により異なるが、例えば、加熱温度、加圧条件、処理時間、処理速度、ＵＶ露光量などが挙げられる。
【手続補正７】
【補正対象書類名】明細書
【補正対象項目名】００６４
【補正方法】変更
【補正の内容】
【００６４】
また、情報の読み取りは、特開平５−２６６２６７号に記載のアロハ方式による複数枚読み取りを用いてもよく、リーダからの呼出信号に対して非接触ＩＣは時間経過後に応答信号を送信する。また、特開平８−１８１６３３号に記載のタイムスロット方式に類似した方式として時間的な分割を利用した読み取りを行なうようにしてもよい。
【手続補正８】
【補正対象書類名】図面
【補正対象項目名】図８
【補正方法】変更
【補正の内容】
【図８】
2003196600.tif 000001
【手続補正９】
【補正対象書類名】図面
【補正対象項目名】図１０
【補正方法】変更
【補正の内容】
【図１０】
2003196600.tif 000002
【手続補正書】
【提出日】平成16年3月26日(2004.3.26)
【手続補正１】
【補正対象書類名】明細書
【補正対象項目名】特許請求の範囲
【補正方法】変更
【補正の内容】
【特許請求の範囲】
【請求項１】
入力された帳票画像のプレ印刷色と記入文字色とを設定するステップと、前記プレ印刷色と前記記入文字色とに基づいて２値化する色を判別するステップと、前記帳票画像かせ前記プレ印刷色をドロップアウトするステップと、前記ドロップアウト後の画像を前記判別された色で２値化するするステップと、前記２値化された画像に対して文字認識を行うステップとを情報機器に実行させることを特徴とするプログラム。
【請求項２】
前記プレ印刷色と前記記入文字色とは、前記帳票画像のフィールド毎に設定されることを特徴とする請求項１記載のプログラム。
【請求項３】
前記帳票のプレ印刷色または記入文字色の設定は、帳票画像のフィールド毎に、プレ印刷色または記入文字色を帳票書式として予め登録し、フィールド毎に、登録している当該フィールドのプレ印刷色または記入文字色を読み出して行われることを特徴とする請求項２記載のプログラム。
【請求項４】
入力された帳票画像を３原色成分の最小値に対して２値化を行うステップと、前記２値化画像の文字認識を行うステップと、前記認識文字がリジェクトされた場合に、前記帳票画像のプレ印刷色をドロップアウトして再度文字認識を行うステップとを情報機器に実行させることを特徴とするプログラム。
【請求項５】
入力された帳票画像の文字記入色とプレ印刷色とを判定する手段と、前記帳票画像の文字記入色とプレ印刷色とから２値化する原色成分を判定する手段と、前記帳票画像から判定されたプレ印刷色をドロップアウトし、前記原色成分を２値化する手段と、前記２値化画像の文字認識を行う手段とを有することを特徴とする画像処理装置。
【請求項６】
前記プレ印刷色と前記記入文字色とは、前記帳票画像のフィールド毎に設定されることを特徴とする請求項５記載の画像処理装置。
【請求項７】
前記入力された帳票画像についての文字認識を行う手段を有し、前記文字認識がリジェクトされた場合に、前記帳票画像の文字記入色及びプレ印刷色との判定以降の処理を行うことを特徴とする請求項５記載の画像処理装置。
【手続補正書】
【提出日】平成16年4月8日(2004.4.8)
【手続補正１】
【補正対象書類名】明細書
【補正対象項目名】特許請求の範囲
【補正方法】変更
【補正の内容】
【特許請求の範囲】
【請求項１】
クロック端子と、
コマンド端子と、
その他の端子と、
制御回路と、
複数の不揮発性メモリセルとを有し、
前記クロック端子はクロック信号を入力され、
前記コマンド端子は読み出しコマンド及び書込コマンドを含む複数のコマンドを入力され、
前記読み出しコマンドの入力に応じた処理において、前記制御回路は前記不揮発性メモリセルからデータを読み出し、前記クロック信号に応じて前記他の端子を介してデータを出力し、
前記書込コマンドの入力に応じた処理において、前記制御回路は前記クロック信号に応じて前記他の端子を介してデータを入力され、前記不揮発性メモリセルへデータを格納することを特徴とする不揮発性メモリ装置。
【請求項２】
前記複数のコマンドには消去コマンドを含み、
前記消去コマンドの入力に応じた処理において、前記制御回路は前記不揮発性メモリセルに格納されたデータを消去することを特徴とする請求項１の不揮発性メモリ装置。
【請求項３】
前記複数の不揮発性メモリセルのそれぞれは、複数のしきい値電圧分布の１つに含まれるしきい値電圧を有し、
前記複数のしきい値電圧分布は、消去状態を示すしきい値電圧分布と書き込み状態を示すしきい値電圧分布とを含み、
前記制御回路は、前記消去コマンドの入力に応じた処理において、所定の不揮発性メモリセルのしきい値電圧を消去状態を示すしきい値電圧分布に含まれるように変化させ、前記書込コマンドの入力に応じた処理において、１つ以上の不揮発性メモリセルのしきい値電圧を書き込み状態を示すしきい値電圧分布に含まれるように変化させることを特徴とする請求項２の不揮発性メモリ装置。
【請求項４】
前記不揮発性メモリ装置は更に第１回路を有し、
前記第１回路は、前記読み出しコマンドの入力に応じた処理において、それぞれの不揮発性メモリセルのしきい値電圧が消去状態を示すしきい値電圧分布に含まれるか、又は書き込み状態を示すしきい値電圧分布に含まれるかによりデータの状態を決定することを特徴とする請求項３の不揮発性メモリ装置。
【請求項５】
前記不揮発性メモリ装置の前記他の端子はデータ端子であり、
前記データ端子は、前記書込コマンドの入力に応じた処理において、データを入力され、前記読み出しコマンドの入力に応じた処理において、データを出力することを特徴とする請求項４の不揮発性メモリ装置。
【請求項６】
制御回路と、
第１端子と、
第２端子と、
第３端子と、
複数の不揮発性メモリセルとを有し、
前記第１端子はクロック信号を入力され、
前記第２端子は前記クロック信号に応じてデータを入力され、又は前記クロック信号に応じてデータを出力し、
前記第３端子は消去動作、読み出し動作、書き込み動作を含む複数の動作のいずれかを示す信号を入力され、
前記消去動作において、前記制御回路は所定の不揮発性メモリセルに格納されているデータを消去する制御を行い、
前記読み出し動作において、前記制御回路は所定の不揮発性メモリセルに格納されているデータを読み出し、前記第２端子を介して外部にシリアルにデータを出力する制御を行い、
前記書き込み動作において、前記制御回路は前記第２端子を介して外部からシリアルにデータを入力され、所定の不揮発性メモリセルにデータを格納する制御を行うことを特徴とする不揮発性メモリ装置。
【請求項７】
前記複数の不揮発性メモリセルのそれぞれは、複数のしきい値電圧分布の１つに含まれるしきい値電圧を有し、
前記複数のしきい値電圧分布は、消去状態を示すしきい値電圧分布と書き込み状態を示すしきい値電圧分布とを含み、
前記制御回路は、前記消去動作において、所定の不揮発性メモリセルのしきい値電圧を消去状態を示すしきい値電圧分布に含まれるように変化させ、前記書き込み動作において、１つ以上の不揮発性メモリセルのしきい値電圧を書き込み状態を示すしきい値電圧分布に含まれるように変化させることを特徴とする請求項６の不揮発性メモリ装置。
【請求項８】
前記不揮発性メモリ装置は更に第１回路を有し、
前記第１回路は、前記読み出し動作の処理において、それぞれの不揮発性メモリセルのしきい値電圧が消去状態を示すしきい値電圧分布に含まれるか、又は書き込み状態を示すしきい値電圧分布に含まれるかによりデータの状態を決定することを特徴とする請求項７の不揮発性メモリ装置。
【請求項９】
制御回路と、
クロック端子と、
データ端子と、
コマンド端子と、
複数の不揮発性メモリセルとを有し、
前記クロック端子はクロック信号を入力され、
前記データ端子は前記クロック信号に応じてデータを入力され、又は前記クロック信号に応じてデータを出力し、
前記コマンド端子は読み出しコマンド及び書込コマンドを含む複数のコマンドを入力され、
前記読み出しコマンドの入力に応じた処理において、前記制御回路は所定の不揮発性メモリセルに格納されているデータを読み出し、前記データ端子を介して外部にシリアルにデータを出力する制御を行い、
前記書込コマンドの入力に応じた処理において、前記制御回路は前記データ端子を介して外部からシリアルにデータを入力され、所定の不揮発性メモリセルにデータを格納する制御を行うことを特徴とする不揮発性メモリ装置。
【請求項１０】
前記複数のコマンドには消去コマンドが含まれ、
前記消去コマンドの入力に応じた処理において、前記制御回路は所定の不揮発性メモリセルに格納されたデータを消去することを特徴とする請求項９の不揮発性メモリ装置。
【請求項１１】
前記複数の不揮発性メモリセルのそれぞれは、複数のしきい値電圧分布の１つに含まれるしきい値電圧を有し、
前記複数のしきい値電圧分布は、消去状態を示すしきい値電圧分布と書き込み状態を示すしきい値電圧分布とを含み、
前記制御回路は、前記消去コマンドの入力に応じた処理において、所定の不揮発性メモリセルのしきい値電圧を消去状態を示すしきい値電圧分布に含まれるように変化させ、前記書込コマンドの入力に応じた処理において、１つ以上の不揮発性メモリセルのしきい値電圧を書き込み状態を示すしきい値電圧分布に含まれるように変化させることを特徴とする請求項１０の不揮発性メモリ装置。
【請求項１２】
前記不揮発性メモリ装置は更に第１回路を有し、
前記第１回路は、前記読み出しコマンドの入力に応じた処理において、それぞれの不揮発性メモリセルのしきい値電圧が消去状態を示すしきい値電圧分布に含まれるか、又は書き込み状態を示すしきい値電圧分布に含まれるかによりデータの状態を決定することを特徴とする請求項１１の不揮発性メモリ装置。
【手続補正書】
【提出日】平成16年6月8日(2004.6.8)
【手続補正１】
【補正対象書類名】明細書
【補正対象項目名】特許請求の範囲
【補正方法】変更
【補正の内容】
【特許請求の範囲】
【請求項１】
メモリ記憶デバイスであって、
複数の交点において交差する第１の組の横断電極と第２の組の横断電極とを含む、交点メモリアレイと、
各交点にあるメモリエレメントであって、各メモリエレメントが低インピーダンス状態と高インピーダンス状態との間で切り替えることができる、メモリエレメントと、
前記第１の組の横断電極と前記第２の組の横断電極とに結合されるアドレス復号化回路と、
前記第１の組の横断電極に結合されるストライピング回路であって、前記第１の組の横断電極の電極がともにグループ化され、１組のストライプが形成される、ストライピング回路と、
複数のセンス線セグメントであって、各センス線セグメントがダイオードによって別個のストライプに結合される、複数のセンス線セグメントと、及び
各ダイオードに結合されるセンスバスとからなる、メモリ記憶デバイス。
【請求項２】
前記メモリエレメントが、前記メモリエレメントを流れる所定の電流密度の形態で書込み信号を加えることにより、低インピーダンス状態と高インピーダンス状態との間で切り替えることができる、請求項１のメモリ記憶デバイス。
【請求項３】
前記アドレス復号化回路が、前記第１の組の横断電極と前記第２の組の横断電極とをそれぞれアドレス指定するための第１の組の入力線および第２の組の入力線を含む、請求項１のメモリ記憶デバイス。
【請求項４】
前記メモリエレメントがダイオードとヒューズエレメントとからなり、前記ヒューズエレメントが電気的導通状態から電気的非導通状態に変化することができる、請求項１のメモリ記憶デバイス。
【請求項５】
前記メモリエレメントがダイオードとアンチヒューズエレメントとからなり、前記アンチヒューズエレメントが電気的非導通状態から電気的導通状態に変化することができる、請求項１のメモリ記憶デバイス。
【請求項６】
前記メモリエレメントが、導電性材料からなる２つの層と、前記導電性材料からなる２つの層の間にある半導体材料からなる１つ以上の層とを含む、請求項１のメモリ記憶デバイス。
【請求項７】
前記導電性材料からなる２つの層が、導電性の金属からなる回路のパターン形成された層を含む、請求項６のメモリ記憶デバイス。
【請求項８】
前記半導体材料が無機材料を含む、請求項６のメモリ記憶デバイス。
【請求項９】
前記無機材料が、アモルファスシリコン及びゲルマニウムのうちの１つを含む、請求項８のメモリ記憶デバイス。
【請求項１０】
前記半導体材料が有機材料を含む、請求項６のメモリ記憶デバイス。
【請求項１１】
前記有機材料が、銅フタロシアニン（ＣｕＰｕ）、ＰＴＢＣＩ（perylene-3,4,9,10-tetracarboxylic-bis-benzimidazole）、ＰＴＣＤＡ（perylene-3,4,9,10-tetracarboxylic-dianhydride）、ＢＴＱＢＴ［bis(1,2,5-thiadiazolo)-p-quinobis(1,3-dithiole)］、ＴＰＤ(N,N’-diphenyl-N,N’-bis(3-methylphenyl)1-1’biphenyl-4,4’-diamine)、α−ＮＰＤ(4,4’-bis［N-(1-napthyl)-N-phenyl-amino］biphenyl)、およびＴＰＰ（5,10,15,20-tetraphenyl-21H,23H-porphine）のうちの１つを含む、請求項１０のメモリ記憶デバイス。
【請求項１２】
前記交点メモリアレイが、誘電体基板材料上に形成される、請求項１のメモリ記憶デバイス。
【請求項１３】
前記誘電体基板材料が、その上に誘電体材料のコーティングを有する高分子材料および金属膜のうちの１つを含む、請求項１２のメモリ記憶デバイス。
【請求項１４】
前記第１及び第２の組の横断電極が、それぞれ８個の電極、１９２個の電極からなる、請求項１のメモリ記憶デバイス。
【請求項１５】
前記ストライプの組が１６個のストライプからなる、請求項１のメモリ記憶デバイス。
【請求項１６】
メモリ記憶デバイスにおいて、
交点メモリアレイであって、該交点メモリアレイは、複数の交点と交差する第１の組の横断電極と第２の組の横断電極を含むことからなる、交点メモリアレイと、
各交点にあるメモリエレメントであって、各メモリエレメントが低インピーダンス状態と高インピーダンス状態との間で切り替わることができる、メモリエレメントと、
前記第１の組の横断電極と前記第２の組の横断電極とに結合されるアドレス復号化回路と、
前記第１の組の横断電極と第２の組の横断電極に結合されるストライピング回路であって、前記第１の組の横断電極と第２の組の横断電極の電極がともにグループ化され、第１の組のストライプと第２の組のストライプが形成される、ストライピング回路と、
複数のセンス線セグメントであって、各センス線セグメントがダイオードによって前記第１の組のストライプと第２の組のストライプの個別のストライプに結合される、複数のセンス線セグメントと、
前記第１の組のストライプのストライプに結合された各ダイオードに結合された第１のセンスバスと、前記第２の組のストライプのストライプに結合された各ダイオードに結合された第２のセンスバス
を備える、メモリ記憶デバイス。
【請求項１７】
複数のモジュール層を有するメモリモジュールであって、各々の層が、請求項１のメモリ記憶デバイスを有することからなる、メモリモジュール。
【請求項１８】
複数のモジュール層を有するメモリモジュールであって、各々の層が、請求項１６のメモリ記憶デバイスを有することからなる、メモリモジュール。
【請求項１９】
メモリ記憶デバイス内のメモリエレメントの状態をセンシングするための方法であって、
（ａ）ストライピング回路を第１の組の横断電極に結合するステップであって、それにより、前記第１の組の横断電極の電極がともにグループ化され、１組のストライプが形成される、ステップと、
（ｂ）前記メモリエレメントに対応する選択された電極に沿って電流を生成するステップと、
（ｃ）前記選択された電極に電流が流れているか否かを検出するステップ
とからなる、方法。
【請求項２０】
前記結合するステップが、
複数のセンス線セグメントを前記１組のストライプに結合するステップであって、各センス線セグメントがダイオードによって別個のストライプに結合される、ステップと、
センスバスを各ダイオードに結合するステップ
とを含む、請求項１９の方法。
【手続補正書】
【提出日】平成16年12月24日(2004.12.24)
【手続補正１】
【補正対象書類名】明細書
【補正対象項目名】００５７
【補正方法】変更
【補正の内容】
【００５７】
尚、上記トレイユニット６０の主要部品、つまり、メイントレイ６１，サブトレイ７１及び後述するディスクガイド７７は何れも、より好ましくは、アクリル樹脂を用いて実質的に透明体として構成されている。これにより、トレイユニット６０のより一層の外観性の向上を図ることができる。
前述のように、メイントレイ６１に（特に、その裏面側に）駆動用のラックや歯車等の駆動用要素を設ける必要がなく、メイントレイ６１が（特に、そのディスク支持面を含めて）実質的に透明なプラスチックで構成されているので、該メイントレイ６１の裏面側からでもディスク３又は５の有無が容易に目視にて確認でき、使用者にとって非常に使い勝手が良く利便性の高いディスク移送装置を提供することができる。
なお、上述のように、メイントレイ６１，サブトレイ７１及びディスクガイド７７は何れも実質的に透明体として構成されているので、トレイユニット６０は、実際にはその全体が透けて見えるのであるが、図面を理解し易くするために、図２１以降の図面においては、基本的に、上側に位置するものを実線で表示し、下側に位置するものは破線で表示することとする。
【手続補正２】
【補正対象書類名】図面
【補正対象項目名】図１４
【補正方法】変更
【補正の内容】
【図１４】
2003196909.tif 000001
【手続補正３】
【補正対象書類名】図面
【補正対象項目名】図１５
【補正方法】変更
【補正の内容】
【図１５】
2003196909.tif 000002
【手続補正４】
【補正対象書類名】図面
【補正対象項目名】図１６
【補正方法】変更
【補正の内容】
【図１６】
2003196909.tif 000003
【手続補正５】
【補正対象書類名】図面
【補正対象項目名】図２１
【補正方法】変更
【補正の内容】
【図２１】
2003196909.tif 000004
【手続補正６】
【補正対象書類名】図面
【補正対象項目名】図２２
【補正方法】変更
【補正の内容】
【図２２】
2003196909.tif 000005
【手続補正７】
【補正対象書類名】図面
【補正対象項目名】図２３
【補正方法】変更
【補正の内容】
【図２３】
2003196909.tif 000006
【手続補正８】
【補正対象書類名】図面
【補正対象項目名】図２４
【補正方法】変更
【補正の内容】
【図２４】
2003196909.tif 000007
【手続補正９】
【補正対象書類名】図面
【補正対象項目名】図２５
【補正方法】変更
【補正の内容】
【図２５】
2003196909.tif 000008
【手続補正１０】
【補正対象書類名】図面
【補正対象項目名】図２６
【補正方法】変更
【補正の内容】
【図２６】
2003196909.tif 000009
【手続補正１１】
【補正対象書類名】図面
【補正対象項目名】図２７
【補正方法】変更
【補正の内容】
【図２７】
2003196909.tif 000010
【手続補正１２】
【補正対象書類名】図面
【補正対象項目名】図２８
【補正方法】変更
【補正の内容】
【図２８】
2003196909.tif 000011
【手続補正１３】
【補正対象書類名】図面
【補正対象項目名】図２９
【補正方法】変更
【補正の内容】
【図２９】
2003196909.tif 000012
【手続補正１４】
【補正対象書類名】図面
【補正対象項目名】図３１
【補正方法】変更
【補正の内容】
【図３１】
2003196909.tif 000013
【手続補正１５】
【補正対象書類名】図面
【補正対象項目名】図３３
【補正方法】変更
【補正の内容】
【図３３】
2003196909.tif 000014
【手続補正１６】
【補正対象書類名】図面
【補正対象項目名】図３４
【補正方法】変更
【補正の内容】
【図３４】
2003196909.tif 000015
【手続補正１７】
【補正対象書類名】図面
【補正対象項目名】図３６
【補正方法】変更
【補正の内容】
【図３６】
2003196909.tif 000016
【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
識別情報に基づいて認証処理を行なう印刷機器に、入力された認証情報を送信して、認証処理の実行を要求する印刷システムであって、
前記印刷機器から認証処理の結果を取得できるか否かを判定する判定手段と、
取得できないと前記判定手段により判定された場合、認証処理の実行を要求するのを中止して、入力された認証情報と印刷データとを含む印刷ジョブを前記印刷機器に向けて発行する発行手段とを有することを特徴とする印刷システム。
【請求項２】
識別情報に基づいて認証処理を行なう印刷機器に、入力された認証情報を送信して、認証処理の実行を要求する情報処理装置であって、
前記印刷機器から認証処理の結果を取得できるか否かを判定する判定手段と、
取得できないと前記判定手段により判定された場合、認証処理の実行を要求するのを中止して、入力された認証情報と印刷データとを含む印刷ジョブを前記印刷機器に向けて発行する発行手段とを有することを特徴とする情報処理装置。
【請求項３】
前記判定手段は、前記印刷システムのシステム構成を示す情報に基づいて、前記印刷機器から認証処理の結果を取得できるか否かを判定することを特徴とする請求項２に記載の情報処理装置。
【請求項４】
取得できないと前記判定手段により判定された場合、認証処理の結果を取得できない旨のメッセージを表示部に表示させる表示制御手段を有することを特徴とする請求項２或いは３に記載の情報処理装置。
【請求項５】
取得できると前記判定手段により判定された場合、入力された認証情報を前記印刷機器に送信して、認証処理の実行を要求する認証要求手段を有し、
前記発行手段は、前記印刷機器が前記認証要求手段による要求に応じて送信した認証結果に基づいて、入力された認証情報と印刷データとを前記印刷機器に向けて発行することを特徴とする請求項２乃至４のいずれかに記載の情報処理装置。
【請求項６】
印刷の指示があるのに応じて、識別情報を入力するための入力画面を表示部に表示させる表示制御手段を有することを特徴とする請求項２乃至５のいずれかに記載の情報処理装置。
【請求項７】
印刷機器を使用するときに識別情報に基づいて認証処理を行なう認証方法であって、
前記印刷機器から認証処理の結果を取得できるか否かを判定する判定ステップと、
取得できないと前記判定ステップにより判定された場合、認証処理の実行を要求するのを中止して、入力された認証情報と印刷データとを含む印刷ジョブを前記印刷機器に向けて発行する発行ステップとを有することを特徴とする認証方法。
【請求項８】
前記判定ステップでは、前記印刷システムのシステム構成を示す情報に基づいて、前記印刷機器から認証処理の結果を取得できるか否かを判定することを特徴とする請求項７に記載の認証方法。
【請求項９】
取得できないと前記判定ステップにより判定された場合、認証処理の結果を取得できない旨のメッセージを表示部に表示させる表示制御ステップを有することを特徴とする請求項７或いは８に記載の認証方法。
【請求項１０】
取得できると前記判定ステップにより判定された場合、入力された認証情報を前記印刷機器に送信して、認証処理の実行を要求する認証要求ステップを有し、
前記発行ステップでは、前記印刷機器が前記認証要求ステップによる要求に応じて送信した認証結果に基づいて、入力された認証情報と印刷データとを前記印刷機器に向けて発行することを特徴とする請求項７乃至９のいずれかに記載の認証方法。
【請求項１１】
前記印刷機器を使用履歴を示す情報を前記印刷機器から取得して、前記印刷機器の使用状況を識別情報ごとに管理することを特徴とする請求項７乃至１０のいずれかに記載の認証方法。
【請求項１２】
印刷機器を使用するときに識別情報に基づいて認証処理を行なうシステムにおいて実行されるプログラムであって、
前記印刷機器から認証処理の結果を取得できるか否かを判定する判定ステップと、
取得できないと前記判定ステップにより判定された場合、認証処理の実行を要求するのを中止して、入力された認証情報と印刷データとを含む印刷ジョブを前記印刷機器に向けて発行する発行ステップとをコンピュータに実行させることを特徴とするプログラム。
【請求項１３】
識別情報に基づいて認証処理を行なう認証装置に、入力された認証情報を送信して、認証処理の実行を要求する情報処理装置であって、
前記認証装置から認証処理の結果を取得できるか否かを判定する判定ステップと、取得できないと判定された場合、認証処理の実行を要求するのを中止する中止ステップとを含む制御プログラムを記憶したメモリと、
前記メモリに記憶された前記制御プログラムを実行するプロセッサとを有することを特徴とする情報処理装置。
【請求項１４】
前記判定ステップでは、前記印刷システムのシステム構成を示す情報に基づいて、前記認証装置から認証処理の結果を取得できるか否かを判定することを特徴とする請求項１３に記載の情報処理装置。
【請求項１５】
前記制御プログラムは、取得できないと判定された場合、認証処理の結果を取得できない旨のメッセージを表示部に表示させる表示制御ステップを含むことを特徴とする請求項１３或いは１４に記載の情報処理装置。
【請求項１６】
識別情報に基づいて認証処理を行なう認証装置に、入力された認証情報を送信して、認証処理の実行を要求する認証方法であって、
前記認証装置から認証処理の結果を取得できるか否かを判定する判定ステップと、
取得できないと前記判定ステップにより判定された場合、認証処理の実行を要求するのを中止する制御ステップとを有することを特徴とする認証方法。
【請求項１７】
前記判定ステップは、前記印刷システムのシステム構成を示す情報に基づいて、前記認証装置から認証処理の結果を取得できるか否かを判定することを特徴とする請求項１６に記載の認証方法。
【請求項１８】
取得できないと前記判定ステップにより判定された場合、認証処理の結果を取得できない旨のメッセージを表示部に表示させる表示制御ステップを有することを特徴とする請求項１６或いは１７に記載の認証方法。
【手続補正書】
【提出日】平成16年10月20日(2004.10.20)
【手続補正１】
【補正対象書類名】明細書
【補正対象項目名】特許請求の範囲
【補正方法】変更
【補正の内容】
【特許請求の範囲】
【請求項１】
画像データに基づいて画像サービス処理を行う端末と、サーバとが通信ネットワークを介して接続されるサービス提供システムであって、
前記端末は、デジタルカメラの撮影時に得られた画像データ及び位置情報を取得する取得手段と、前記取得手段により取得された位置情報を前記サーバに送信する送信手段と、
前記サーバから位置情報に対応する特典情報を受信する受信手段と、
前記受信手段により受信された位置情報に対応する特典情報に基づいて、前記取得手段により取得された画像データに基づく画像サービスの利用ユーザに特典を付与する特典付与手段と、を備え、
前記サーバは、前記位置情報に対応する特典情報を記憶する記憶手段と、
前記端末から送信された位置情報を受信する位置情報受信手段と、
前記位置情報受信手段により受信された位置情報に対応する特典情報が前記記憶手段に記憶されているか否かを判別する判別手段と、
前記判別手段により前記位置情報に応じた特典情報が記憶されていると判別された場合に、前記位置情報に対応する特典情報を前記端末に送信する特典情報送信手段と、
を備えることを特徴とするサービス提供システム。
【請求項２】
前記端末は、他の端末とは異なる識別情報を記憶する識別情報記憶手段を備え、
前記送信手段は、さらに前記識別情報記憶手段に記憶されている識別情報を前記サーバに送信する手段を含み、
前記記憶手段は、前記位置情報、特典情報及び識別情報を対応付けて記憶し、
前記位置情報受信手段は、前記端末から送信された位置情報及び識別情報を受信し、
前記判別手段は、前記位置情報受信手段により受信された位置情報及び識別情報に対応する特典情報が前記記憶手段に記憶されているか否かを判別し、
前記特典情報送信手段は、前記判別手段により前記位置情報及び識別情報に対応する特典情報が記憶されていると判別された場合に、前記位置情報及び識別情報に対応する特典情報を前記端末に送信し、
前記受信手段は、前記サーバから位置情報及び識別情報に対応する特典情報を受信し、
前記特典付与手段は、前記受信手段により受信された位置情報及び識別情報に対応する特典情報に基づいて、前記画像データの利用ユーザに特典を付与することを特徴とする請求項１記載のサービス提供システム。
【請求項３】
画像データに基づく画像サービスを提供するサービス提供装置であって、
デジタルカメラの撮影時に得られた画像データ及び位置情報を取得する取得手段と、
前記位置情報に対応する特典情報を記憶する記憶手段と、
前記取得手段により取得された位置情報に対応する特典情報が前記記憶手段に記憶されているか否かを判別する判別手段と、
前記判別手段により前記位置情報に応じた特典情報が記憶されていると判別された場合に、前記位置情報に対応する特典情報に基づいて、前記取得手段により取得された画像データに基づく画像サービスの利用ユーザに特典を付与する特典付与手段と、
を備えることを特徴とするサービス提供装置。
【請求項４】
画像データに基づく画像サービスを提供するサービス提供方法であって、
デジタルカメラの撮影時に得られた画像データ及び位置情報を取得する取得工程と、
前記位置情報に対応する特典情報を記憶するメモリに、前記取得工程により取得された位置情報に対応する特典情報が記憶されているか否かを判別する判別工程と、
前記判別工程により前記位置情報に応じた特典情報が記憶されていると判別された場合に、前記位置情報に対応する特典情報に基づいて、前記取得工程で取得された画像データに基づく画像サービスの利用ユーザに特典を付与する特典付与工程と、
を含むサービス提供方法。
【請求項５】
自己の位置を検出して記憶する位置情報記憶手段を備えた携帯端末の利用者に対する各種サービス処理を行うサービス提供装置であって、
位置情報に対応してサービス内容を記憶する記憶手段と、
前記利用者の携帯端末に記録されている位置情報を取得する位置情報取得手段と、
前記取得手段により取得した位置情報に対応するサービス内容が前記記憶手段に記憶されているか否かを判別する判別手段と、
前記判別手段により前記位置情報に対応するサービス内容が記憶されていると判別された場合は、そのサービス内容に基づいて、前記携帯端末の利用者に対するサービス処理を行うサービス処理手段と、
を備えることを特徴とするサービス提供装置。
【請求項６】
前記サービス処理手段は、前記判別手段により前記位置情報に対応するサービス内容が記憶されていると判別された場合は、該サービス内容の送信または該サービス内容の表示を行うことを特徴とする請求項５記載のサービス提供装置。
【請求項７】
前記携帯端末は、撮影した画像データに対して撮影時の位置情報を付加して記録する位置情報記録手段を備えたカメラ装置であり、
前記カメラ装置より画像データを読み込む読込手段を備え、
前記位置情報取得手段は、前記カメラ装置から画像データを読み込む際に、該画像データに付加されている位置情報を取得し、
前記サービス手段は、前記カメラ装置から読み込んだ画像データの印刷に関するサービス処理を行うことを特徴とする請求項５または６記載のサービス提供装置。
【請求項８】
前記サービス提供装置は、前記位置情報取得手段および前記サービス手段を備えた店舗端末と、前記記憶手段を備えたサーバとが通信ネットワークを介して接続された構成であり、
前記サービス内容取得手段は、前記店舗端末側で取得された位置情報を前記サーバ側に送信し、この送信された位置情報に対応するサービス内容を前記サーバ側で取得し、このサーバ側で取得されたサービス内容を前記店舗端末側に送信し、
前記サービス手段は、前記サーバ側から送信されたサービス内容に基づいて、前記店舗端末側で利用者に対するサービス処理を行うことを特徴とする請求項５乃至７記載のサービス提供装置。
【手続補正２】
【補正対象書類名】明細書
【補正対象項目名】００６３
【補正方法】変更
【補正の内容】
【００６３】
【発明の効果】
本発明によれば、利用者の携帯端末によって取得された位置情報に基づいて、該携帯端末の利用者に対するサービス処理を行うので、例えば、ＧＰＳ等の位置検出機能を備えたデジタルカメラ等により取得された位置情報を有効に活用したサービスを提供できる。
【手続補正書】
【提出日】平成17年10月19日(2005.10.19)
【手続補正１】
【補正対象書類名】明細書
【補正対象項目名】特許請求の範囲
【補正方法】変更
【補正の内容】
【特許請求の範囲】
【請求項１】
電気装置であって、
前記電気装置の処理を制御するために利用することが可能なボタンを受け入れるようになっている複数のボタン開口部と、
前記装置のボタン開口部内に配置されると特定の機能を前記電気装置に識別させ、その結果、ボタンが配置されている前記ボタン開口部に関係なく、特定の機能を開始するために特定のボタンが利用され得るように設定されるようにコード化されている複数の着脱式ボタンと、
を備えたことを特徴とする電気装置。
【請求項２】
前記ボタンに、ユーザの所望通りに前記電気装置を個人化するためにユーザによって選択された配置で前記電気装置上に設置できるように、ユーザによる選択を可能にする別々の特徴が与えられていることを特徴とする請求項１に記載の電気装置。
【請求項３】
前記機能が、ボタンの押下時における特定の音の発生に関連していることを特徴とする請求項１に記載の電気装置。
【請求項４】
電気装置であって、
前記電気装置の処理を制御するために利用することが可能なボタンを受け入れるようになっている複数のボタン開口部と、
前記ボタン開口部内に配置可能なコード化された着脱式ボタンに関連した特定の機能を判定するようになっている、前記ボタン開口部に設けられた機能検知素子と、
を備えたことを特徴とする電気装置。
【請求項５】
前記機能検知素子が、前記着脱式ボタンのピンを受け入れるようになっているピン開口部を有することを特徴とする請求項４に記載の電気装置。
【請求項６】
交換可能に電気装置に利用できるようになっている着脱式ボタンであって、
特定の機能が割り当てられるようにコード化されていて、その結果、前記ボタンを前記電気装置のボタン開口部内に配置すると、前記電気装置が、割り当てられた機能を判定し、ボタンが押されると前記機能を開始するように設定されることを特徴とする着脱式ボタン。
【請求項７】
交換可能でありコード化されたボタンを受け入れるようになっている複数のボタン開口部を備えた電気装置を個人化する方法であって、
特定のコード化ボタンに関連づけられる、特定の装置機能の選択を受け取るステップと、
コード化ボタンが前記電気装置のボタン開口部内に配置され押されると選択された機能が前記電気装置によって実行されるように、前記選択された装置機能を前記コード化ボタンに割り当てるステップと、
を含むことを特徴とする方法。
【請求項８】
前記ボタンが配置される特定のボタン開口部に関係なく、前記コード化ボタンを押すと、前記選択された機能が前記電気装置によって実行されることを特徴とする請求項７に記載の方法。
【請求項９】
電気装置を個人化する方法であって、
ユーザが入力する記録コマンドを受け取るステップと、
前記記録コマンドの受け取り後に、個別の装置機能にそれぞれ関連づけられているさまざまな装置ボタンの選択を検出するステップと、
ユーザによる押下時に各機能の実行を開始するように別のボタンがプログラムされるように、選択された前記ボタンに関連づけられた機能のうちのそれぞれを前記別のボタンに割り当てるステップと、
を含むことを特徴とする方法。
【請求項１０】
プログラムされるボタンの選択をユーザから受け取り、前記選択されたボタンに前記機能を割り当てるステップをさらに含むことを特徴とする請求項９に記載の方法。
【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】  アプリケーションのための複式データ表現方法であって、
オブジェクトについての未処理データセットを検索するステップと、
前記未処理データセットをデータ構造のインスタンスに格納するステップであって、前記データ構造は、複数のインスタンスを生成するためにデータの受け取りが可能な複数のフィールドを含み、また前記未処理データセットを編成して論理的にグループ化する、ステップと、
前記未処理データセットを対応する表示データセットに変換するステップであって、前記対応する表示データセットは、前記未処理データセットよりも記述的である、ステップと、
前記対応する表示データセットを、前記未処理データセットと同じ、前記データ構造のインスタンスに格納するステップと、を含み、
これによって、前記オブジェクトの前記未処理データセットおよび前記対応する表示データセットが、前記アプリケーションを通して整合的にかつ一貫して維持される、方法。
【請求項２】  前記データ構造における前記対応する表示データセットへの前記アプリケーションのフロントエンドからのアクセスを提供するステップをさらに含む、請求項１に記載の方法。
【請求項３】  前記検索するステップは、機械読み取り可能フォーマットの前記未処理データセットを検索するステップを含む、請求項１に記載の方法。
【請求項４】  前記格納するステップは、前記未処理データセットを前記アプリケーションのバックエンドに格納するステップを含む、請求項１に記載の方法。
【請求項５】  前記変換するステップは、前記未処理データセットを、人間読み取り可能フォーマットの前記対応する表示データセットに変換するステップを含む、請求項１に記載の方法。
【請求項６】  前記変換するステップは、コンパイルされたプログラミング言語を使用して前記未処理データセットを変換するステップを含む、請求項１に記載の方法。
【請求項７】  アプリケーションに複式データ表現（ＤＤＲ）を提供するユーザインタフェースであって、
データ構造を格納する、前記アプリケーションのバックエンドであって、前記データ構造は、複数のインスタンスを生成するためにデータの受け取りが可能な複数のフィールドを含み、
前記データ構造の各インスタンスは、オブジェクトについての未処理データセット、および該未処理データセットから変換される対応する表示データセットを含み、
前記データ構造は、前記未処理データセットおよび前記対応する表示データセットを編成し、論理的にグループ化して、同じインスタンスに格納する、バックエンドと、
前記対応する表示データセットをユーザに対して表示する、前記アプリケーションのフロントエンドと、
を備える、ユーザインタフェース。
【請求項８】  前記オブジェクトの前記未処理データセットおよび前記対応する表示データセットは、前記アプリケーションを通して整合的かつ一貫して維持される、請求項７に記載のユーザインタフェース。
【請求項９】  前記オブジェクトの前記未処理データセットおよび前記対応する表示データセットは、前記オブジェクトの共通属性に従ってグループ化される、請求項７に記載のユーザインタフェース。
【請求項１０】  前記未処理データセットは、コンパイルされたプログラミング言語を使用して前記対応する表示データセットに変換される、請求項７に記載のユーザインタフェース。